(57)【要約】【課題】手もみ動作をすることなく、手乾燥空間内で高速空気流による水分飛散を可能とし乾燥時間を短縮させることができる手乾燥装置を提供する。【解決手段】外郭を形成する本体１と、前記本体１に配置された空気流を送風する電動送風機２と、前記本体１の開放部から挿入された手を乾燥する乾燥室３と、前記乾燥室３に挿入された手を検知し前記電動送風機２を動作させる手検知部４と、前記本体１下面に配置されている吸気口５と、前記吸気口５から吸気した空気が前記電動送風機２を通り、空気流として送風されるノズル部６と、前記手検知部４で検知した入力信号を処理し前記電動送風機２を始動させる制御部７と、前記乾燥室３の底部に溜まった水分を排水させる排水口８とを備えた構成として、前記乾燥室３は２つの空間に分離された構造より、乾燥室３内の送風空間を狭くすることで、半分になった空間内で１本の手全体に送風することができる。【選択図】図１
2011078519.tif 000002
【特許請求の範囲】
【請求項１】
外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口とを備え、前記乾燥室は２つの空間に分離された構造を特徴とする手乾燥装置。
【請求項２】
第１手検知部と第２手検知部と制御部は、第１乾燥室と第２乾燥室の手検知を個々に検知し、個別運転を可能とすることを特徴とする請求項１記載の手乾燥装置。
【請求項３】
第１手検知部と第２手検知部の両方が手検知したら、第１電動送風機と第２電動送風機を同時に運転する制御部を有することを特徴とする請求項１と請求項２記載の手乾燥装置。
【請求項４】
制御部は、記憶装置を有し、第１手検知部と第２手検知部の両方が手検知した時に、第１電動送風機と第２電動送風機に運転信号を発信し、かつ、記憶装置にデータを登録することを特徴とする請求項１〜３のいずれかに記載の手乾燥装置。
【請求項５】
制御部は、記憶装置に登録したデータを外部機器に送信し、外部機器と連動を可能とすることを特徴とする請求項１〜４のいずれかに記載の手乾燥装置。
【請求項６】
ノズル部が、各乾燥室に３方向に配置され、３方向から送風可能な構造を有することを特徴とする請求項１〜５のいずれかに記載の手乾燥装置。
【請求項７】
３方向に配置されたノズル部の１つは、送風するタイミングを変更できる第３電動送風機を有することを特徴とする請求項１〜６のいずれかに記載の手乾燥装置。
【請求項８】
３方向に配置されたノズル部の向きを、横方向に渦状に送風可能なルーバーを有することを特徴とする請求項１〜７のいずれかに記載の手乾燥装置。
【請求項９】
ノズル部が、各乾燥室に４方向に配置され、４方向からの全面から送風可能な構造を有することを特徴とする請求項１〜８のいずれかに記載の手乾燥装置。
【請求項１０】
排水口には、各乾燥室内の水分を吸い込む構造を可能とする第４電動送風機を有することを特徴とする請求項１〜９のいずれかに記載の手乾燥装置。
【請求項１１】
第１手検知部と第２手検知部が、手検知した時に、各乾燥室への送風と各排水口の吸い込みを同時に行い、各電動送風機を運転させることを特徴とする請求項１〜１０のいずれかに記載の手乾燥装置。
【請求項１２】
第１手検知部と第２手検知部が、手を非検知した時に、第４電動送風機のみ遅延運転させることを特徴とする請求項１〜１１のいずれかに記載の手乾燥装置。
【発明の詳細な説明】
【技術分野】
【０００１】
本発明は、手を効率的に乾燥させる手乾燥装置に関するものである。
【背景技術】
【０００２】
従来、この種の手乾燥装置は、洗浄後の濡れた手を衛生的に乾燥させる装置として、高速空気流により手に付着した水滴を吹き飛ばして乾燥させる手乾燥装置が知られている（例えば、特許文献１参照）。
【０００３】
また、この装置は、本体の乾燥室に手を挿入するための開口部が設けられ、乾燥室の壁面に傾けて設けられた赤外線発光素子と赤外線受光素子からなる手検出部が設けられている。
【０００４】
さらに、手検出部により手を検知すると本体に内蔵された送風装置が作動し、吹き出し口から乾燥室へ高速空気流が噴射して、手に付着した水分を吹き飛ばして、手を乾燥させる構成となっていた。
【先行技術文献】
【特許文献】
【０００５】
【特許文献１】特開平１１−３１８７６０号公報
【発明の概要】
【発明が解決しようとする課題】
【０００６】
このような従来の手乾燥装置では、乾燥効率を向上させるために、高速空気流の手にあたる風の流れの改善や風量の改善が課題であった。
【０００７】
また、乾燥室内の高速空気流のぶつかり合いと挿入された手に付着した水分や乾燥室内の残水による跳ね返り水が飛散するために不快を与えていた。そして使用者は早く乾燥させるために手もみ動作をしながら手を乾燥させていたという課題があった。
【０００８】
本発明は、このような従来の課題を解決するもので、手もみ動作をすることなく、狭くなった空間内で高速空気流による水分飛散を可能とし乾燥時間を短縮させることができる手乾燥装置を提供する。              
【課題を解決するための手段】
【０００９】
前記課題を解決するために、本発明の手乾燥装置は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口を備え、前記乾燥室は２つの空間に分離された構造を特徴とするものである。  この手段により、使用者による乾燥を促進させるための動作である手もみ動作をすることなく、狭くなった空間内で高速空気流による水分飛散を可能とし乾燥時間を短縮させることができるという効果のある手乾燥装置が得られる。                            
【００１０】
また、他の手段は、第１手検知部と第２手検知部と制御部は、第１乾燥室と第２乾燥室の手検知を個々に検知し、個別運転を可能とすることを特徴とするものである。        この手段により、使用状況に合わせた第１乾燥室と第２乾燥室の単独運転が可能となり、手の挿入タイミングによる運転時間の差異による消費電力を低下させることができるという効果のある手乾燥装置が得られる。  
【００１１】
また、他の手段は、第１手検知部と第２手検知部の両方が手検知したら、第１電動送風機と第２電動送風機を同時に運転する制御部を有することを特徴とするものである。    この手段により、両手を手検知させないと動作しない手乾燥装置を提供できるという効果のある手乾燥装置が得られる。    
【００１２】
また、他の手段は、制御部は、記憶装置を有し、第１手検知部と第２手検知部の両方が手検知した時に、第１電動送風機と第２電動送風機に運転信号を発信し、かつ、記憶装置にデータを登録することを特徴とするものである。          
【００１３】
この手段により、運転信号の有無を記憶装置からのデータより取出し、活用することができるという効果のある手乾燥装置が得られる。    
【００１４】
また、他の手段は、制御部は、記憶装置に登録したデータを外部機器に送信し、外部機器と連動を可能とすることを特徴とするものである。            
【００１５】
この手段により、手乾燥装置だけでなく、外部機器との連動制御で更なる商品の付加価値を提供することができるという効果のある手乾燥装置が得られる。          
【００１６】
また、他の手段は、ノズル部が、各乾燥室に３方向に配置され、３方向から送風可能な構造を有することを特徴とするものである。            
【００１７】
この手段により、送風量が増加することで、乾燥時間を短縮することができるという効果のある手乾燥装置が得られる。    
【００１８】
また、他の手段は、３方向に配置されたノズル部の１つは、送風するタイミングを変更できる第３電動送風機を有することを特徴とするものである。        
【００１９】
この手段により、新たな風向により、手に付着した水分のバランスを崩して飛散させることで、乾燥時間を短縮することができるという効果のある手乾燥装置が得られる。
【００２０】
また、他の手段は、３方向に配置されたノズル部の向きを、横方向に渦状に送風可能なルーバーを有することを特徴とするものである。    
【００２１】
この手段により、水分を渦の内側に飛散させることで、乾燥室外部に飛散させることを抑制することができるという効果のある手乾燥装置が得られる。    
【００２２】
また、他の手段は、ノズル部が、各乾燥室に４方向に配置され、４方向からの全面から送風可能な構造を有することを特徴とするものである。      
【００２３】
この手段により、手に付着した水分を全面の４方向から飛散させることで、乾燥時間を短縮することができるという効果のある手乾燥装置が得られる。    
【００２４】
また、他の手段は、排水口には、各乾燥室内の水分を吸い込む構造を可能とする第４電動送風機を有することを特徴とするものである。    
【００２５】
この手段により、乾燥室内の水分を強制的に吸い込むことで排水が可能となり、乾燥室内の乾燥状態を確保し、前使用者による水分の跳ね返りを抑制することができるという効果のある手乾燥装置が得られる。            
【００２６】
また、他の手段は、第１手検知部と第２手検知部が、手検知した時に、各乾燥室への送風と各排水口の吸い込みを同時に行い、各電動送風機を運転させることを特徴とするものである。              
【００２７】
この手段により、乾燥室内の壁面や底面への水の付着が低下され、乾燥状態を確保されることで、前使用者による水分の跳ね返りを低減することができるという効果のある手乾燥装置が得られる。        
【００２８】
また、他の手段は、第１手検知部と第２手検知部が、手を非検知した時に、第４電動送風機のみ遅延運転させることを特徴とするものである。      
【００２９】
この手段により、乾燥室内の壁面や底面への水の付着が低下され、乾燥状態を確保されることで、より跳ね返り水の低減と清潔感を保つことができるという効果のある手乾燥装置が得られる。  
【発明の効果】
【００３０】
本発明の手乾燥装置によれば、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口とを備え、乾燥室内の送風空間を狭くすることで、半分になった空間内で１本の手全体に送風することができることで        、使用者による乾燥を促進させるための動作である手もみ動作をすることなく、狭くなった空間内で高速空気流による水分飛散を可能とし乾燥時間を短縮させることができるという効果のある手乾燥装置を提供することができる。
【図面の簡単な説明】
【００３１】
【図１】本発明実施の形態１の手乾燥装置を示す側断面図
【図２】本発明実施の形態１の手乾燥装置を示す上方図
【図３】本発明実施の形態１の手乾燥装置を示す正面断面図
【図４】本発明実施の形態１の手乾燥装置を示す外部機器構成図
【図５】本発明実施の形態２の手乾燥装置を示す上方図
【図６】本発明実施の形態２の手乾燥装置を示す正面断面図
【図７】本発明実施の形態３の手乾燥装置を示す上方図
【図８】本発明実施の形態３の手乾燥装置を示す正面断面図
【図９】本発明実施の形態４の手乾燥装置を示す上方図
【図１０】本発明実施の形態４の手乾燥装置を示す正面断面図
【発明を実施するための形態】
【００３２】
請求項１記載の発明は、外郭を形成する本体と、前記本体に配置された空気流を送風する電動送風機と、前記本体の開放部から挿入された手を乾燥する乾燥室と、前記乾燥室に挿入された手を検知し前記電動送風機を動作させる手検知部と、前記本体下面に配置されている吸気口と、前記吸気口から吸気した空気が前記電動送風機を通り、空気流として送風されるノズル部と、前記手検知部で検知した入力信号を処理し前記電動送風機を始動させる制御部と、前記乾燥室の底部に溜まった水分を排水させる排水口とを備え、前記乾燥室は２つの空間に分離された構造であって、乾燥室内の送風空間を狭くすることで、半分になった空間内で１本の手全体に送風することができる作用を有する。  
【００３３】
また、第１手検知部と第２手検知部と制御部は、第１乾燥室と第２乾燥室の手検知を個々に検知し、個別運転を可能とすることであって、第１乾燥室と第２乾燥室には個々の手検知部を設けており、手検知されたら各電動送風機が個々に動作することができる作用を有する。        
【００３４】
また、第１手検知部と第２手検知部の両方が手検知したら、第１電動送風機と第２電動送風機を同時に運転する制御部を有することであって、制御部内にある記憶装置にて、第１乾燥室と第２乾燥室に設けられた個々の手検知部が検知したら、個々の電動送風機を同時に運転することができる作用を有する。      
【００３５】
また、制御部は、記憶装置を有し、第１手検知部と第２手検知部の両方が手検知した時に、第１電動送風機と第２電動送風機に運転信号を発信し、かつ、記憶装置にデータを登録することであって、手検知した運転信号を制御部で受信し、電動送風機へ運転信号を送ると同時に、制御部内にある記憶装置にもデータを記憶することができる作用を有する。
【００３６】
また、制御部は、記憶装置に登録したデータを外部機器に送信し、外部機器と連動を可能とすることであって、外部機器と接続することで、制御部の記憶装置にて記憶されたデータを外部機器に送信することができる作用を有する。
【００３７】
また、ノズル部が、各乾燥室に３方向に配置され、３方向から送風可能な構造を有することであって、送風方向を３方向から送風することで、手にあたる面積を増やすことができる作用を有する。
【００３８】
また、３方向に配置されたノズル部の１つは、送風するタイミングを変更できる第３電動送風機を有することであって、３方向から送風される空気は均一でなく、横方向からの送風のタイミングを変更することで、手に付着した水分のバランスを崩すことができる作用を有する。
【００３９】
また、３方向に配置されたノズル部の向きを、横方向に渦状に送風可能なルーバーを有することであって、３方向から送風されるノズル部を横方向に同一方向へ送風することで、渦状に送風し、手に付着した水分を内側方向に吹き飛ばすことができる作用を有する。
【００４０】
また、ノズル部が、各乾燥室に４方向に配置され、４方向からの全面から送風可能な構造を有することであって、４方向の全面から送風されることで、手全体を一揆に高速気流を送風することができる作用を有する。
【００４１】
また、排水口には、各乾燥室内の水分を吸い込む構造を可能とする第４電動送風機を有することであって、第１排水口と第２排水口内部に第４電動送風機を設け、吸気させることで乾燥室内の水滴を強制排水させることができる作用を有する。
【００４２】
また、第１手検知部と第２手検知部が、手検知した時に、各乾燥室への送風と各排水口の吸い込みを同時に行い、各電動送風機を運転させることであって、第１乾燥室と第２乾燥室と第１排水口と第２排水口内部に設けられた各電動送風機を同時に運転させることで、手に付着した水分が高速空気流とともに第１排水口と第２排水口からドレンタンクに一揆に飛散させることで強制排水させることができる作用を有する。
【００４３】
また、第１手検知部と第２手検知部が、手を非検知した時に、第４電動送風機のみ遅延運転させることであって、手検知終了後も第１排水口と第２排水口内部に設けられた第４電動送風機は遅延運転を実施し、乾燥室内の水分をさらに強制排水させることができる作用を有する。
【００４４】
以下、本発明の実施の形態について図面を参照しながら説明する。
【００４５】
（実施の形態１）
図１および図２は、本実施の形態１における手乾燥装置の側断面図と上方図を示す。
【００４６】
図１の側面図については、同一機能部品は省略して１つのみを記載することで、製品としての機能を説明している。
【００４７】
図２においては、同一機能部品を省略しないで、上方より機能部品の配置を説明することで、本実施の形態１の製品構成を説明している。
【００４８】
図３および図４に示すように、本発明実施の形態１の手乾燥装置を示す正面断面図と外部機器構成図を示す。
【００４９】
図１に示すように、外郭を形成する本体１と、前記本体１に配置された空気流を送風する電動送風機２と、前記本体１の開放部から挿入された手を乾燥する乾燥室３と、前記乾燥室３に挿入された手を検知し前記電動送風機２を動作させる手検知部４と、前記本体１下面に配置されている吸気口５と、前記吸気口５から吸気した空気が前記電動送風機２を通り、空気流として送風されるノズル部６と、前記手検知部４で検知した入力信号を処理し前記電動送風機２を始動させる制御部７と、前記乾燥室３の底部に溜まった水分を排水させる排水口８とを備え、前記乾燥室３は２つの空間に分離された構造を特徴とする手乾燥装置である。
【００５０】
また、前記手検知部４の一例として、赤外線受発光素子や側距センサーなどを用いて、前記乾燥室３内の手の抜き差しを検知することができる。
【００５１】
さらに、前記制御部７には記憶装置９を有し、前記手検知部４からの信号により、挿入された手を検知している間、前記電動送風機２を動作し続け、手の非検知状態になったら、前記電動送風機２が停止する構成を備える。  
【００５２】
また、吸気口５は外気から空気を取り入れ、前記電動送風機２を通過して、前記乾燥室３に空気を送風させることができる。
【００５３】
さらに、前記乾燥室３の下部に設けられた排水口８は、前記電動送風機２にて飛散された水分が溜り、ドレン配管１０を経由してドレンタンク１１に溜まる構造である。そして、前記ドレンタンク１１に溜まった水分は清掃者が定期的に捨てることで使用されている。
【００５４】
また、前記ノズル部６は、ルーバー１２を備え、前記ノズル部６からの高速空気流の吹き出し方向を変更することができる。
【００５５】
さらに、前記制御部７は、前記記憶装置９を有し、前記電動送風機２の動作時に連動して、前記ルーバー１２が機械的に開閉動作と左右の動作を可能とする構成を備える。そして前記制御部７により前記ルーバー１２を動作させることで前記ノズル部６から前記乾燥室３の底部に向けて広角に高速空気流を送風することが可能である。
【００５６】
図２に示すように、乾燥室３を２つの空間に分離された構造であり、各構成部品を必要に応じて２箇所設け、個々に運転を可能とする構成としている。
【００５７】
また、各乾燥室３は第１乾燥室３ａと第２乾燥室３ｂに分離され、構成される各電動送風機２や各手検知部４や各ノズル部６や各排水口８は、第１電動送風機２ａと第２電動送風機２ｂ、第１手検知部４ａと第２手検知部４ｂ、第１ノズル部６ａと第２ノズル部６ｂと第３ノズル部６ｃと第４ノズル部６ｄ、第１排水口８ａと第２排水口８ｂに分離されている。
【００５８】
図２および図３に示すように、第１手検知部４ａと第２手検知部４ｂと制御部７は、第１乾燥室３ａと第２乾燥室３ｂの手検知を個々に検知し、個別運転を可能としている。
【００５９】
また、２つに分離された各乾燥室３は、各構成部品を必要に応じて２箇所設け、個々に運転を可能とする構成としている。
【００６０】
さらに、第１乾燥室３ａの動作について説明すると、第１手検知部４ａが手検知することで、前記制御部７の指示で、第１電動送風機２ａが動作し、第１ノズル部６ａと第２ノズル部６ｂから使用者の片側の手に高速空気流を送風し、手に付着して飛散された水分は、第１乾燥室３ａ内で回収され、第１排水口８ａから第１ドレン配管１０ａを経由して、前記ドレンタンク１１に水分が集められる構成としている。
【００６１】
また、第２乾燥室３ｂの動作について説明すると、第２手検知部４ｂが手検知することで、前記制御部７の指示で、第２電動送風機２ｂが動作し、第３ノズル部６ｃと第４ノズル部６ｄから使用者の片側の手に高速空気流を送風し、手に付着して飛散された水分は、第２乾燥室３ｂ内で回収され、第２排水口８ｂから第２ドレン配管１０ｂを経由して、前記ドレンタンク１１に水分が集められる構成としている。
【００６２】
さらに、第１手検知部４ａと第２手検知部４ｂの両方が手検知したら、第１電動送風機２ａと第２電動送風機２ｂを同時に運転する制御部７の構成としている。
【００６３】
また、２つに分離された乾燥室に設けられた個々に手検知動作を行なう第１手検知部４ａと第２手検知部４ｂは、第１手検知部４ａが手検知しても前記制御部７は前記第１電動送風機２ａに運転信号を送信しなく、第２手検知部４ｂも同時に手検知することで、前記制御部７は前記第１電動送風機２ａと前記第２電動送風機２ｂに運転信号を送信することができる。
【００６４】
また、制御部７は、記憶装置９を有し、第１手検知部４ａと第２手検知部４ｂの両方が手検知した時に、第１電動送風機２ａと第２電動送風機２ｂに運転信号を発信し、かつ、記憶装置９にデータを登録することができる。
【００６５】
さらに、前記記憶装置９の一例としては、ＥＥＰＲＯＭなどの記憶装置が一般的であるが、データの書込みと読み出しが可能なものであれば特に限定しない。
【００６６】
また、前記制御部７は、第１手検知部４ａと第２手検知部４ｂが同時に手検知したときに前記第１電動送風機２ａと前記第２電動送風機２ｂへ運転信号を送信するだけでなく、前記記憶装置９にも同時に検知したことを記憶させることができる。
【００６７】
図４に示すように、制御部７は、記憶装置９に登録したデータを外部機器１３に送信し、外部機器１３と連動を可能とすることができる。
【００６８】
また、前記本体１は、外部機器１３と接続された構成を備えている。
【００６９】
さらに、前記外部機器１３は、外部機器制御部１４を備え、前記制御部７と前記外部機器制御部１４は、信号線１５にて接続されている。
【００７０】
また、前記制御部７は、第１手検知部４ａと第２手検知部４ｂが同時に手検知したときに、前記記憶装置９にデータが書き込まれるため、そのデータを前記外部機器制御部１４に送信することで、前記外部機器１３との連動制御を図ることができる。
【００７１】
さらに、外部機器の一例として、食品の加工工場などの衛生管理が厳しいところにおいて、工場内の作業室と休憩室が分離されている時など、作業場の入口の前に前記本体１と前記外部機器１３を備えた構成であり、前記外部機器１３は自動開閉扉１６と連動運転可能としている。
【００７２】
また、作業者が作業室に入るときには、必ず手を洗い本体１に両手を入れて乾燥させないと前記自動開閉扉１６が開かないようになっている構成する。
【００７３】
上記構成により、乾燥室３内の送風空間を狭くすることで、半分になった空間内で１本の手全体に送風することができるために、使用者による乾燥を促進させるための動作である手もみ動作をすることなく、狭くなった空間内で高速空気流による水分飛散を可能とし乾燥時間を短縮させることができる。
【００７４】
また、第１乾燥室３ａと第２乾燥室３ｂには個々の手検知部４を設けており、手検知されたら各電動送風機が個々に動作することができるために、使用状況に合わせた第１乾燥室３ａと第２乾燥室３ｂの単独運転が可能となり、手の挿入タイミングによる運転時間の差異による消費電力を低下させることができる。
【００７５】
さらに、制御部７内にある記憶装置９にて、第１乾燥室３ａと第２乾燥室３ｂに設けられた個々の手検知部４が検知したら、個々の電動送風機２を同時に運転することができるために、両手を手検知させないと動作しない手乾燥装置を提供できる。
【００７６】
また、手検知した運転信号を制御部７で受信し、電動送風機２へ運転信号を送ると同時に、制御部７内にある記憶装置９にもデータを記憶することができるために、運転信号の有無を記憶装置９からのデータより取出し、活用することができる。
【００７７】
さらに、外部機器１３と接続することで、制御部７の記憶装置９にて記憶されたデータを外部機器１３に送信することができるために、手乾燥装置だけでなく、外部機器１３との連動制御で更なる商品の付加価値を提供することができる。
【００７８】
（実施の形態２）          
図５および図６に示すように、本発明の実施の形態２の手乾燥装置を示す上方図と正面断面図を示す。
【００７９】
図５に示すように、ノズル部が、各乾燥室に３方向に配置され、３方向から送風可能な構造を有することを特徴とする手乾燥装置である。              
【００８０】
また、分離された前記第１乾燥室３ａと前記第２乾燥室３ｂの中央部に第５ノズル部６ｅと第６ノズル部６ｆを備え、各乾燥室内の高速空気流は３方向から送風される構成となっている。
【００８１】
図６に示すように、第５ノズル部６ｅと第６ノズル部６ｆに高速空気流を送風する第３電動送風機２ｃは、前記第１手検知部４ａと前記第２手検知部４ｂの手検知により送風することができる。  
【００８２】
また、３方向に配置されたノズル部の１つは、送風するタイミングを変更できる第３電動送風機２ｃを有することを特徴とする手乾燥装置である。  
【００８３】
さらに、第３電動送風機２ｃは、各手検知部が手検知し、前記制御部７に各電動送風機に運転信号を送るが、前記記憶装置９にて第３電動送風機２ｃのみ運転停止を繰り返すことで一定送風しないように運転させることで、各乾燥室内の風の流れに強弱をつけた高速空気流を送風させることができる。  
【００８４】
また、３方向に配置されたノズル部の向きを、横方向に渦状に送風可能なルーバーを有することを特徴とする手乾燥装置である。      
【００８５】
さらに、各ノズル部の内部にルーバー１２を設け、高速空気流の風の向きが同一方向の横方向に渦状に回転させながら送風させることで、手に付着した水分は回転力を用いて飛散させることができる構成する。
【００８６】
上記構成により、送風方向を３方向から送風することで、手にあたる面積を増やすことができるために、送風量が増加することで、乾燥時間を短縮することができることとなる。
【００８７】
また、３方向から送風される空気は均一でなく、横方向からの送風のタイミングを変更することで、手に付着した水分のバランスを崩すことができるために、新たな風向により、手に付着した水分のバランスを崩して飛散させることで、乾燥時間を短縮させることができる。
【００８８】
さらに、３方向から送風されるノズル部を横方向に同一方向へ送風することで、渦状に送風し、手に付着した水分を内側方向に吹き飛ばすことができるために、乾燥室外部に飛散させることを抑制することができることとなる。
【００８９】
（実施の形態３）          
図７および図８に示すように、本発明の実施の形態３の手乾燥装置を示す上方図と正面断面図を示す。
【００９０】
また、ノズル部が、各乾燥室に４方向に配置され、４方向からの全面から送風可能な構造を有することを特徴とする手乾燥装置である。
【００９１】
図７に示すように、分離された前記第１乾燥室３ａと前記第２乾燥室３ｂの側面部に第７ノズル部６ｇと第８ノズル部６ｈを備え、乾燥室内の高速空気流は４方向からの全面から送風される構成となっている。
【００９２】
図８に示すように、第７ノズル部６ｇと第８ノズル部６ｈに高速空気流を送風する第３電動送風機２ｃは、前記第１手検知部４ａと前記第２手検知部４ｂの手検知により送風することができる構成する。
【００９３】
上記構成により、４方向の全面から送風されることで、手全体を一揆に高速気流を送風することができるために、手に付着した水分を全面の４方向から飛散させることで、乾燥時間を短縮することができることとなる。
【００９４】
（実施の形態４）          
図９および図１０に示すように、本発明の実施の形態４の手乾燥装置を示す上方図と正面断面図を示す。
【００９５】
図９および図１０に示すように、排水口には、各乾燥室内の水分を吸い込む構造を可能とする第４電動送風機２ｄを有することを特徴とする手乾燥装置である。      
【００９６】
また、第１ドレン配管１０ａと第２ドレン配管１０ｂからドレンタンク１１間に第４電動送風機２ｄを設け、前記制御部７と前記記憶装置９にて一定時間、第４電動送風機２ｄを運転させて、第１排水口８ａと第２排水口８ｂから第１乾燥室３ａと第２乾燥室３ｂ内の水分を吸い込んで、ドレンタンク１１に排水させることができる。
【００９７】
さらに、一定時間の一例として、手検知終了後の各電動送風機の運転が停止後に水分が各乾燥室の底部に集まった頃に１０秒〜３０秒ほどの運転時間とする。          
【００９８】
また、第１手検知部４ａと第２手検知部４ｂが、手検知した時に、各乾燥室への送風と各排水口の吸い込みを同時に行い、各電動送風機を運転させることを特徴とする手乾燥装置である。              
【００９９】
さらに、第４電動送風機２ｄは、前記第１手検知部４ａと前記第２手検知部４ｂの手検知に連動して、第１電動送風機２ａ、第２電動送風機２ｂ、第３電動送風機２ｃが飛散させた水分を第４電動送風機２ｄが吸込むことで、第１乾燥室３ａと第２乾燥室３ｂ内に水分を付着させる間もなく、第１排水口８ａと第２排水口８ｂ水分をドレンタンク１１に排水させることができる。  
【０１００】
また、第１手検知部４ａと第２手検知部４ｂが、手を非検知した時に、第４電動送風機２ｄのみ遅延運転させることを特徴とする手乾燥装置である。            
【０１０１】
さらに、第４電動送風機２ｄは、前記第１手検知部４ａと前記第２手検知部４ｂが手非検知になったら、第４電動送風機２ｄのみが一定時間の遅延運転をすることで、第１乾燥室３ａと第２乾燥室３ｂ内の水分を、さらに長い時間ドレンタンク１１に強制排水させることができる。
【０１０２】
また、遅延運転の一定時間は、一例として、１秒〜１０秒程度であり、この時間は前記第１手検知部４ａと前記第２手検知部４ｂが手非検知状態になったら、惰性で前記第１電動送風機２ａと前記第２電動送風機２ｂと前記第３電動送風機２ｃが回転して停止する時間で設定された構成する。
【０１０３】
上記構成により、第１排水口８ａと第２排水口８ｂ内部に第４電動送風機２ｄを設け、吸気させることで乾燥室内の水滴を強制排水させることができることで、乾燥室内の水分を強制的に吸い込むことで排水が可能となり、乾燥室内の乾燥状態を確保し、前使用者による水分の跳ね返りを抑制することができることとなる。
【０１０４】
また、第１乾燥室３ａと第２乾燥室３ｂと第１排水口８ａと第２排水口８ｂ内部に設けられた各電動送風機を同時に運転させることで、手に付着した水分が高速空気流とともに第１排水口８ａと第２排水口８ｂからドレンタンク１１に一揆に飛散させることで強制排水させることができることで、乾燥室内の壁面や底面への水の付着が低下され、乾燥状態を確保されることで、前使用者による水分の跳ね返りを低減することができることとなる。
【０１０５】
さらに、手検知終了後も第１排水口８ａと第２排水口８ｂ内部に設けられた第４電動送風機２ｄは遅延運転を実施し、乾燥室内の水分をさらに強制排水させることができることで、乾燥室内の壁面や底面への水の付着が低下され、乾燥状態を確保されることで、より跳ね返り水の低減と清潔感を保つことができることとなる。              
【産業上の利用可能性】
【０１０６】
本発明の手乾燥装置は、レストランやホテルなどの洗面所やトイレに設置され、また病院や手術室や調理場においても適用できる。  
【符号の説明】
【０１０７】
１      本体      
２      電動送風機        
２ａ    第１電動送風機            
２ｂ    第２電動送風機            
２ｃ    第３電動送風機            
２ｄ    第４電動送風機              
３      乾燥室
３ａ    第１乾燥室
３ｂ    第２乾燥室
４      手検知部
４ａ    第１手検知部
４ｂ    第２手検知部
５      吸気口
６      ノズル部
６ａ    第１ノズル部
６ｂ    第２ノズル部
６ｃ    第３ノズル部
６ｄ    第４ノズル部
６ｅ    第５ノズル部
６ｆ    第６ノズル部
６ｇ    第７ノズル部
６ｈ    第８ノズル部
７      制御部
８      排水口
８ａ    第１排水口
８ｂ    第２排水口
９      記憶装置
１０    ドレン配管
１０ａ  第１ドレン配管
１０ｂ  第２ドレン配管
１１    ドレンタンク
１２    ルーバー
１３    外部機器
１４    外部機器制御部
１５    信号線
１６    自動開閉扉
【図１】
2011078519.tif 000003
【図２】
2011078519.tif 000004
【図３】
2011078519.tif 000005
【図４】
2011078519.tif 000006
【図５】
2011078519.tif 000007
【図６】
2011078519.tif 000008
【図７】
2011078519.tif 000009
【図８】
2011078519.tif 000010
【図９】
2011078519.tif 000011
【図１０】
2011078519.tif 000012